(57)【要約】【課題】  多種類のごみの分別に対応が可能で、ボックス状にも拘らず、折畳みが容易で運搬も可能な簡易型分別用ごみ箱を提供することを目的とする。【解決手段】  ボックス状で折畳み可能かつ運搬可能な簡易型分別用ごみ箱において、該ごみ箱が、対向する一対の板状体１、２と、これらの間を連結する側面膜状体３、４および底面膜状体５と、前記一対の板状体１、２に取り付けられた把手６、７とから構成されたことにより、簡素で軽量なごみ箱を安価に多数準備することで、多種類のごみの分別に対応が可能となる上、板状体１、２を基本構造体としボックス状体として高い強度を発揮するにも拘らず、側面膜状体３、４および底面膜状体５により容易かつ簡便に折り畳んで場所を取らずに格納しておくことができ、使用時には、把手６、７を握ってごみ集積所にそのまま運搬することができて便利である。【選択図】  図１
0003105204.tif 000002
【実用新案登録請求の範囲】
【請求項１】
ボックス状で折畳み可能かつ運搬可能な簡易型分別用ごみ箱において、該ごみ箱が、対向する一対の板状体と、これらの間を連結する側面膜状体および底面膜状体と、前記一対の板状体に取り付けられた把手とから構成されたことを特徴とする簡易型分別用ごみ箱。
【請求項２】
前記把手が前記板状体に着脱自在に取り付けられたことを特徴とする請求項１に記載の簡易型分別用ごみ箱。
【請求項３】
前記板状体の間を連結する側面膜状体の上縁に、両端部を板状体に軸支された折曲自在な補強枠材を設置したことを特徴とする請求項１または２に記載の簡易型分別用ごみ箱。
【請求項４】
前記板状体の間を連結する側面膜状体の上縁に補強板を添設したことを特徴とする請求項１または２に記載の簡易型分別用ごみ箱。
【請求項５】
前記板状体の上面に積重ね突起を形成するとともに、前記板状体の下面に前記積重ね突起に対応する位置に積重ね溝を形成したことを特徴とする請求項１から４のいずれかに記載の簡易型分別用ごみ箱。
【請求項６】
前記請求項１から５のいずれかに記載された簡易型分別用ごみ箱の正面、裏面あるいは側面に異なった彩色を施した数組をセットとしたことを特徴とする簡易型分別用ごみ箱。
【考案の詳細な説明】
【技術分野】
【０００１】
本考案は、ボックス状で折畳み可能かつ運搬可能な簡易型分別用ごみ箱に関する。
【背景技術】
【０００２】
近年、地球環境の劣化や資源の枯渇等の問題を解決するために、ごみ資源のリサイクル化が促進されている。ごみ資源のリサイクルにはごみの分別が欠かせないものであり、各家庭は言うに及ばず、各種の事業所、高速道路のサービスエリア、病院、鉄道の駅舎等人々が多く集まり、多量のごみが放出される施設では、ごみの分別・細分化には多くの苦労や努力がなされているものの、現状のごみ箱は比較的大型の箱状体から構成されており、多種類のごみの分別を行うには広いスペースを要して限界があり、頭を悩ませているところである。そこで、比較的小さなごみ箱を積み重ねてごみの分別を可能にしたものが提案された（例えば下記特許文献１参照）。
【特許文献１】特開２００３−３４４０４号公報（請求項２および図４参照）
【考案の開示】
【考案が解決しようとする課題】
【０００３】
前記特許文献１に開示されたごみ箱は、図５に示すように、上下方向に複数のごみ容器２５ａ、２５ｂを、はめこみ用周段部３０と被はめこみ用周段部３１との嵌合により、着脱自在に重ねてごみ箱２１を構成し、最上段のごみ容器２５ａの側面上部に把手２３を突設し、最下段のごみ容器２５ｂの下面部にキャスター２２を設けてなるもので、下段のごみ容器２５ｂの側面開口部２８には内容器が引出し自在に収容される。
【０００４】
このような積重ね式の分別ごみ箱により、ある程度の種類のごみの分別が可能となった。しかしながら、小規模の事業所、特に家庭単位にあっては、このようなボックス状のごみ箱は場所を占有して置き場所に困り、結局のところ、ごみの分別を店舗から得たポリ袋等を使用して行い、ごみ集積所にはこれらのポリ袋を持参しているのが実情である。今後予想されるさらに多種類のごみの分別に容易に対応できるような簡易型のごみ箱の開発が望まれている。
【０００５】
そこで本考案は、前記従来の分別用ごみ箱の課題を解決して、多種類のごみの分別に対応が可能で、ボックス状にも拘らず、折畳みが容易で運搬も可能な簡易型分別用ごみ箱を提供することを目的とする。
【課題を解決するための手段】
【０００６】
そのため本考案は、ボックス状で折畳み可能かつ運搬可能な簡易型分別用ごみ箱において、該ごみ箱が、対向する一対の板状体と、これらの間を連結する側面膜状体および底面膜状体と、前記一対の板状体に取り付けられた把手とから構成されたことを特徴とする。また本考案は、前記把手が前記板状体に着脱自在に取り付けられたことを特徴とする。また本考案は、前記板状体の間を連結する側面膜状体の上縁に、両端部を板状体に軸支された折曲自在な補強枠材を設置したことを特徴とする。また本考案は、前記板状体の間を連結する側面膜状体の上縁に補強板を添設したことを特徴とする。また本考案は、前記板状体の上面に積重ね突起を形成するとともに、前記板状体の下面に前記積重ね突起に対応する位置に積重ね溝を形成したことを特徴とする。また本考案は、前記簡易型分別用ごみ箱の正面、裏面あるいは側面に異なった彩色を施した数組をセットとしたことを特徴とするもので、これらを課題解決のための手段とするものである。
【考案の効果】
【０００７】
本考案では、ボックス状で折畳み可能かつ運搬可能な簡易型分別用ごみ箱において、該ごみ箱が、対向する一対の板状体と、これらの間を連結する側面膜状体および底面膜状体と、前記一対の板状体に取り付けられた把手とから構成されたことにより、簡素で軽量なごみ箱を安価に多数準備することで、多種類のごみの分別に対応が可能となる上、板状体を基本構造体としボックス状体として高い強度を発揮するにも拘らず、側面膜状体および底面膜状体により容易かつ簡便に折り畳んで場所を取らずに格納しておくことができ、使用時には、把手を握ってごみ集積所にそのまま運搬することができて便利である。
【０００８】
また、前記把手が前記板状体に着脱自在に取り付けられた場合は、運搬時以外には把手を取り外しておくことができて邪魔になることがない。また、必要に応じて把手の仕様も自在に選択することができる。さらに、前記板状体の間を連結する側面膜状体の上縁に、両端部を板状体に軸支された折曲自在な補強枠材を設置した場合は、折畳みを容易にするために設置された側面膜状体および底面膜状体のボックス状体としての強度不足を効果的に補強しつつ、折畳みも可能である。
【０００９】
さらにまた、前記板状体の間を連結する側面膜状体の上縁に補強板を添設した場合は、より簡素な構造にても、側面膜状体の上縁を補強してボックス状体としての強度不足を補うことができる。また、前記板状体の上面に積重ね突起を形成するとともに、前記板状体の下面に前記積重ね突起に対応する位置に積重ね溝を形成した場合は、比較的剛性の高い板状体を利用して、分別されたごみを種類毎に収容したごみ箱を一時的に安定して積み重ねておくことができ、場所を取ることがない。
【００１０】
さらに、前記簡易型分別用ごみ箱の正面、裏面あるいは側面に異なった彩色を施した数組をセットとした場合は、分別するごみの種類毎に色分けを施したごみ箱を準備すれば、ごみの分別が容易で円滑に行える。
【考案を実施するための最良の形態】
【００１１】
以下、本考案の実施例を図面に基づいて詳細に説明する。図１は本考案の簡易型分別用ごみ箱の第１実施例を示す折畳み前後の全体斜視図、図２は本考案の簡易型分別用ごみ箱の第２実施例を示す全体斜視図、図３は本考案の簡易型分別用ごみ箱の第３実施例を示す折畳み前後の全体斜視図、図４は本考案の簡易型分別用ごみ箱の第４実施例を示す全体斜視図である。本考案の基本的な構成は、図１に示すように、ボックス状で折畳み可能かつ運搬可能な簡易型分別用ごみ箱において、該ごみ箱が、対向する一対の板状体１、２と、これらの間を連結する側面膜状体３、４および底面膜状体５と、前記一対の板状体１、２に取り付けられた把手６、７とから構成されたことを特徴とするものである。
【実施例１】
【００１２】
以下に詳述する。図１に示すものは、駅や病院、工場等の比較的広い公共の場所等にて使用するよりは、個人の家庭等のように小規模な事業所等にて使用するのに適し、手軽に運搬が可能な簡易型分別用ごみ箱の第１実施例である。本実施例のごみ箱は、対向する一対の板状体１、２と、これらの間を連結する側面膜状体３、４および底面膜状体５とにより、ごみを収容する使用時のボックス状の形態（図１の左側）と、不使用時の折畳み形態（図１の右側）との両形態を取り得る。板状体１、２は剛性の高い、プラスチック板や軽量金属板あるいは木板等が採用され得る。
【００１３】
これらの対向する板状体１、２の間を連結して、所定幅の側面膜状体３、４および底面膜状体５が連結して配設される。側面膜状体３、４および底面膜状体５が１枚の膜状体から構成されてもよいし、各膜状体を縫合ないし接合して構成してもよい。膜状体としては、布やプラスチックフィルム、網状体、合成紙等の軟質材であれば適宜の素材が採用され得る。膜状体の板状体との連結は、固着、ホック留め、板状体と同質材であれば同時成形等適宜の形態が採用される。符号１０は膜状体３、４に形成された折り目を示す。
【００１４】
板状体１や２の表面には、分別すべきごみの種類を示す表示部９が形成される。表示部９は書込みや表示札収容ポケット等とされるが、ごみ箱の正面、裏面あるいは側面に異なった彩色を施したごみ箱の数組をセットとした場合は、分別するごみの種類毎に色分けを施したごみ箱を準備するならば、表示部９は省略することもできる。板状体１、２の上部には紐状の把手６、７が取り付けられる。符号８は抜止め部材であるが、紐状体の場合は端部を結んでもよい。把手６、７は軟質材の紐状体でもよいし、後述するように適宜の剛性材でもよい。
【００１５】
このように構成したので、個人家庭でも、剛性の高い板状体１、２と軟質の膜状体３〜５から構成された簡素で軽量なごみ箱を安価に多数準備することができ、多種類のごみの分別に対応が可能となる上、板状体１、２を基本構造体としボックス状体として高い強度を発揮するにも拘らず、側面膜状体３、４および底面膜状体５により容易かつ簡便に折り畳んで場所を取らずに格納しておくことができ、使用時には、把手６、７を握ってごみ集積所にごみ箱をそのまま運搬することができて便利である。
【実施例２】
【００１６】
図２は本考案の簡易型分別用ごみ箱の第２実施例を示す全体斜視図で、本実施例のものは、把手６、７を前記板状体１、２に着脱自在に取り付けたものである。したがって、運搬時以外には把手６、７をごみ箱本体から取り外しておくことができて邪魔になることがない。必要に応じて把手６、７の仕様（異なった材質や異なった形状、異なった長さのもの等）も自在に選択することができる。図示の例では、板状体１、２の上部にそれぞれ一対のだるま孔１１、１１を穿設し、これらの孔１１に門型の棒状体から構成された把手の下端部の曲折部に設けた抜止め部材８を係合させるものである。だるま孔１１は、抜止め部材８が通り抜けることができる大きさの大径部１１Ｂと、上方に延びて前記抜止め部材８が取り抜けられない幅の小径部１１Ａとから構成され、抜止め部材８を大径部１１Ｂに挿入した後、上方にスライドさせて小径部１１Ａにより把手６、７をそれぞれ板状体１、２に係止するものである。
【実施例３】
【００１７】
図３は本考案の簡易型分別用ごみ箱の第３実施例を示す折畳み前後の全体斜視図で、本実施例のものは、板状体１、２の間を連結する側面膜状体３、４の上縁に、両端部を板状体１、２に軸支された折曲自在な補強枠材１２、１３および１４、１５を設置したものである。一方の側面膜状体３側を例に説明すると、端部を板状体１に軸支された長い補強大枠材１２と、端部を板状体２に軸支された短い補強小枠材１３とが側面膜状体３のほぼ中央位置１６にてヒンジ結合されて構成されている。補強枠材１２、１３は該中央ヒンジ１６を曲折点として折畳み状態および直線状の使用状態の２位置を取り得る。補強大枠材１２の他端部の下面には係止突起１２Ａが形成され、対応する補強小枠材１３の上面には係止溝１３Ａが形成され、これらの両者の係止突起１２Ａと係止溝１３Ａとの係合により、補強大枠材１２と補強小枠材１３とが確実に直線状に保持される。側面膜状体４側の補強枠体１４、１５についても同様の構成である。符号１７が中央ヒンジ、符号１４Ａ、１５Ａがそれぞれ係止突起、係止溝である。
【００１８】
このような構成により、ごみ箱の折畳みを容易にするために配設された側面膜状体３、４および底面膜状体５の強度不足を補い、ボックス状体としての使用時においてごみ箱の形状維持を効果的に行い、これらのごみ箱を積み重ねて使用する場合でも、側面膜状体３、４が妄りに変形することがないので、ボックス状体としての形が確実に維持され、多段に積層することが可能となる。
【実施例４】
【００１９】
図４は本考案の簡易型分別用ごみ箱の第４実施例を示す全体斜視図である。本実施例のものは、板状体１、２の間を連結する側面膜状体３、４の上縁に補強板１８、１８を添設した構成したものである。これにより、簡素な構造によって、側面膜状体３、４の上縁の変形を抑制することができて、側面膜状体３、４の上縁を補強してボックス状体としての強度不足を補うことができる。補強板１８、１８は側面膜状体３、４の略中央部には配設されないようにして、側面膜状体３、４の曲折しての折畳みを可能にしている。また、前記板状体１、２の上面には積重ね突起１９、１９が形成され、これら板状体１、２の下面には前記積重ね突起１９、１９に対応する位置に積重ね溝（図示省略）が形成される。これにより、比較的剛性の高い板状体１、２を利用して、分別されたごみを種類毎に収容したごみ箱を一時的に確実に積み重ねておくことができ、場所を取ることがない。
【００２０】
また、図面右側のような、表面に積重ね突起１９’、１９’を、裏面に積重ね溝（図示省略）を形成した板状体からなる蓋部材２０を準備してもよい。該蓋部材２０の表面に設けた積重ね突起１９’、１９’および裏面に設けた積重ね溝は、前記板状体１、２の上面の積重ね突起１９、１９に対応する位置に形成される。蓋部材２０の裏面の積重ね溝にはごみ箱の板状体１、２の上面の積重ね突起１９、１９が係合される。蓋部材２０の存在により、板状体１、２が妄りに折り畳まれたりすることがない。また、蓋部材２０を介在させてごみ箱を積み重ねることができるので、臭気が外部に漏れることがない。蓋部材２０にて上部を閉塞した場合あるいは積層した場合には、板状体１、２のいずれかに扉を設けたごみ投入口を開口させることもできる。
【００２１】
さらに、前記簡易型分別用ごみ箱の正面、裏面あるいは側面に異なった彩色（模様等でもよい）を施した数組をセットとすることによって、分別するごみの種類毎に色分けを施したごみ箱を準備すれば、ごみの分別が容易で円滑に行える。異なった色彩を施すのは、表面板状体１や裏面板状体２、あるいは側面膜状体３や４でもよいし、ごみの種類の識別が可能ならば、把手６、７に異なった彩色を施してもよい。
【００２２】
以上、本考案の実施例について説明してきたが、本考案の趣旨の範囲内にて、板状体の形状（板厚も適宜選定できる。正面視形状も正方形、長方形等の他、板状体の平面視断面形状についても積載が容易で上下方向の強度を確保できるように両端に屈曲部を設けてもよい。）、形式およびその材質（プラスチック板や軽量金属板あるいは木板等）、側面膜状体および底面膜状体の形状（幅、網状体、折り目の形成形態）、形式およびその材質（布やプラスチックフィルム、合成紙等の軟質材であれば適宜の素材等）ならびに板状体への連結形態（固着、ホック留め、板状体と同質材であれば同時成形等）、把手の形状（紐状体、帯状体、剛性の高い棒状体等）、形式およびその材質（プラスチック材、金属材等）ならびに板状体への取付け形態（孔と紐、ダルマ孔と抜止め部材との係合等）、補強枠材の形状、形式およびその材質（プラスチック、金属等）ならびに曲折形態、直線維持形態（係止突起と係止溝の係合による直線維持、補強大枠材の自由端部に形成した抱持部による補強小枠材の抱持による直線維持）、側面膜状体の上縁の補強板の形状（板状体、線状体等）、形式およびその材質（剛性の高いプラスチック、金属材等）、板状体の上面の積重ね突起の形状（山形、円形等）、形式およびこれに対応する積重ね溝の形状（山形溝、円形溝等）、形式、蓋部材の形状、形式および材質、ごみ箱への彩色形態（板状体に彩色するか、膜状体に彩色するか等）等については適宜選定することができる。
【図面の簡単な説明】
【００２３】
【図１】本考案の簡易型分別用ごみ箱の第１実施例を示す折畳み前後の全体斜視図である。
【図２】本考案の簡易型分別用ごみ箱の第２実施例を示す全体斜視図である。
【図３】本考案の簡易型分別用ごみ箱の第３実施例を示す折畳み前後の全体斜視図である。
【図４】本考案の簡易型分別用ごみ箱の第４実施例を示す全体斜視図である。
【図５】従来の積重ね式のごみ箱の全体斜視図である。
【符号の説明】
【００２４】
１        表板状体
２        裏板状体
３        側面膜状体
４        側面膜状体
５        底面膜状体
６        表把手
７        裏把手
８        抜止め部材
９        表示部
１０        折り目
１１        だるま孔
１１Ａ      小径部
１１Ｂ      大径部
１２        補強大枠材
１２Ａ      係止突起
１３        補強小枠材
１３Ａ      係止溝
１４        補強大枠材
１４Ａ      係止突起
１５        補強小枠材
１５Ａ      係止溝
１６        中央ヒンジ
１７        中央ヒンジ
１８        補強板
１９        積重ね突起
１９’      積重ね突起
２０        蓋部材
【図１】
0003105204.tif 000003
【図２】
0003105204.tif 000004
【図３】
0003105204.tif 000005
【図４】
0003105204.tif 000006
【図５】
0003105204.tif 000007